(57)【要約】      （修正有）【課題】鍔観賞用具に時刻表示を行なうことができるようにし、動的で面白みがあり、かつ時刻も表示できるという実利的な面も有する鍔観賞用具を提供する。【解決手段】鍔２と、鍔２を掛け留める鍔掛け６を有した鍔受け板３と、鍔掛け６に鍔２が掛け留められている鍔受け板３が収容され、鍔受け板３の鍔配置面５が相対する面が開放されている箱４とを備えていて、鍔受け板３の鍔配置面５とは反対側に時計ムーブメント１０が位置し、時計ムーブメント１０から指針軸が鍔受け板３の鍔掛け６に通っていて、前記鍔掛け６に掛け留められている鍔２の前方側に位置するようにして指針軸に時針１３と分針１４とからなる指針１１を取り付けた。【選択図】図１
0003218522.tif 000002
【実用新案登録請求の範囲】
【請求項１】
鍔と、鍔を掛け留める鍔掛けを有した鍔受け板と、前記鍔掛けに鍔が掛け留められている鍔受け板が収容されていて、この鍔受け板の鍔配置面が相対する面が開放されている箱とを備えている鍔観賞用具において、
鍔受け板の鍔配置面とは反対側に時計ムーブメントが位置し、この時計ムーブメントから指針軸が鍔受け板の鍔掛けに通っていて、この鍔掛けに掛け留められている鍔の前方側に位置するようにして前記指針軸に指針が取り付けられていることを特徴とする鍔観賞用具。
【考案の詳細な説明】
【技術分野】
【０００１】
本考案は、日本刀の刀剣の柄と刀身との間に挟んで柄を握る手を防護する鍔を掛け留めて、観賞し易くする鍔観賞用具に関するものである。
【背景技術】
【０００２】
従来から鍔を観賞し易くする用具として鍔立が用いられており、この鍔立は鍔を掛け留める立て掛け板部を主体部分とし、この立て掛け板部を傾倒状態で支持する傾斜支持部をも合わせて備えているものとして構成されている。
【０００３】
そして鍔立の立て掛け板部に鍔を留めることで鑑賞の対象が鍔である置物となるが、静的な置物となっていることから、例えば特許文献１の写真立てに時計を組み合わせた置物のように時刻表示を行なわせるようにして、動的な動きをして面白みのある形態にしたいとの要望がなされるようになってきた。
【先行技術文献】
【特許文献】
【０００４】
【特許文献１】公開実用昭和５８−０７４８７１号
【考案の概要】
【考案が解決しようとする課題】
【０００５】
しかしながら、特許文献１に示されているような時計としての動きのある部分を立て掛け板部の隅部に配置しても、時針や分針を大きくすることができず、面白みに欠けるという不具合がある。
【０００６】
そこで本考案は上記事情に鑑み、鍔を留めた鍔観賞用具に時刻表示を行なうことができるようにすることを課題とし、動的で面白みがあり、かつ時刻も表示できるという実利的な面も有する鍔観賞用具を提供することを目的とするものである。
【課題を解決するための手段】
【０００７】
本考案は上記課題を考慮してなされたもので、鍔と、鍔を掛け留める鍔掛けを有した鍔受け板と、前記鍔掛けに鍔が掛け留められている鍔受け板が収容されていて、この鍔受け板の鍔配置面が相対する面が開放されている箱とを備えている鍔観賞用具において、
鍔受け板の鍔配置面とは反対側に時計ムーブメントが位置し、この時計ムーブメントから指針軸が鍔受け板の鍔掛けに通っていて、この鍔掛けに掛け留められている鍔の前方側に位置するようにして前記指針軸に指針が取り付けられていることを特徴とする鍔観賞用具を提供して、上記課題を解消するものである。
【考案の効果】
【０００８】
本考案によれば、鍔の前方側（鍔を正面から見たときの鍔位置より手前側）に指針が位置するので、時針や分針などの指針を長く設けることができて時刻表示が明確に行なえる。また、観賞の対象である鍔に、指針の位置を把握し易くするための時計文字盤の役割を担わせることができるという優れた効果を奏するものである。
【図面の簡単な説明】
【０００９】
【図１】本考案の実施の形態を正面から見た状態で説明図である。
【図２】同じく実施の形態を一部を断面にして側方から見た状態で示す説明図である。
【図３】他の例を一部を断面にして側方から見た状態で示す説明図である。
【考案を実施するための形態】
【００１０】
つぎに本考案を図１から図３に示す実施の形態に基づいて詳細に説明する。図中１は鍔観賞用具で、該鍔観賞用具１は図１と図２とに示されているように鍔２と、この鍔２を掛け留めることができて、掛け留められた鍔２を受け止める鍔受け板３と、前記鍔受け板３が収容されている箱４とを備えているものである。
【００１１】
（鍔受け板）
鍔受け板３は、鍔２を配置する鍔配置面５に、前記鍔２を掛け留める突起状の鍔掛け６が突設している。鍔２は中心孔（なかごあな）７に前記鍔掛け６を通すようにしてこの鍔掛け６に掛け留めている。
【００１２】
（箱）
箱４は木製であり、四面の側面板８と底面板９とを組み合わせて一面を開放した略升状に形成した木箱である。上記鍔受け板３は箱４の内部の四角形の収納空間４ａに収め入れられており、箱４内で移動することのないように収納空間４ａの平面視形状に対応させて、外周形状を略四角形にしている。そして、この鍔受け板３の鍔配置面５を、箱４の開放された一面側に位置させている。
【００１３】
このように箱４では、鍔受け板３の鍔配置面５が箱外方に向けて相対する面が開放されており、鍔受け板３の鍔配置面５に配置された鍔２は、箱４の開放された面を通して簡単に外部から見ることができるように設けられている。
【００１４】
本鍔観賞用具１にあっては時刻を表示する機能を有しているものである。時刻を表示する前記機能は時計ムーブメント１０とこの時計ムーブメント１０に連結されて回転する指針１１とから構成されている。
【００１５】
（時計ムーブメント）
図２に示されているように時計ムーブメント１０は、上記鍔受け板３の背面（鍔配置面とは反対側）に取り付けられている。このように鍔観賞用具１では、箱４が収容する鍔受け板３の背面に時計ムーブメント１０が取り付けられているので、鍔受け板３や後述の指針１１が箱４の開放された面から外部に突出した配置とならないように、箱４の収納空間４ａに十分な奥行きを有している。
【００１６】
（指針）
時計ムーブメント１０からは指針軸１２が上記鍔受け板３と鍔掛け６とを貫通するようにして鍔掛け６の前方に通されている。そして、鍔掛け６に掛け留められている鍔２の前方側に位置するようにして指針軸１２に時針１３と分針１４とからなる前記指針１１が取り付けられていて、鍔２の手前で、時計ムーブメント１０の駆動の下で動く時針１３と分針１４とにより時刻表示を行なうように設けられている。
【００１７】
図２に示す実施の形態では、箱４の収納空間４ａに時計ムーブメント１０の全体が収容されている。そして時刻合わせなどの操作を行なう場合には、箱４から鍔受け板３とこの時計ムーブメント１０とを共に取り出して、時計ムーブメント１０の背面に形成されている不図示の時刻設定機構体を操作するものとしている。
【００１８】
図において符号１５は蓋を示している。前記蓋１５は箱４の開放された面を必要に応じて覆うように取り付けられるものである。そして蓋１５自体を透明材から成形することも可能であり、透明材からなる蓋１５を箱４の開放された面側に被せ付けるようにすれば、蓋１５を通して指針１１や鍔２を見ることができる。
【００１９】
また、図３に示す例は、箱４の底面板９に、上記時計ムーブメント１０が通る挿通孔１６が開口していて、この挿通孔１６から箱外方に向けて時計ムーブメント１０の上記時刻設定機構体が表出するように設けられている。即ち、図３に示す鍔観賞用具１は、時計ムーブメント１０を箱４から外すことなく時刻合わせなどの操作を行なえるものである。
【００２０】
上記各例での鍔受け板５は中実とされた一枚の木質材からなるものに限定されない。即ち、装飾が施されている形態であってもよく、この鍔受け板５を、例えば板状の心材の外表面を化粧材で覆ってなるものとすることが可能である。また、箱４は木製に限定されるものではなく、合成樹脂製のものとするも可能である。
【符号の説明】
【００２１】
１…鍔観賞用具
２…鍔
３…鍔受け板
４…箱
４ａ…箱の収納空間
５…鍔配置面
６…鍔掛け
８…箱の側面板
９…箱の底面板
１０…時計ムーブメント
１１…指針
１２…指針軸
１３…時針
１４…分針
１５…蓋
１６…挿通孔
【図１】
0003218522.tif 000003
【図２】
0003218522.tif 000004
【図３】
0003218522.tif 000005